(57)【要約】      （修正有）【課題】空気抜隙間を設けて構築した乾式二重床に生じる重量床衝撃音の遮断性能を生かすために開発された巾木の配設に適応するための該隙間を閉塞するための閉塞材を配したスペーサ部材を提供する。【解決手段】頂面を壁材面に配設された巾木３０の底面受とした肉薄平面板の一方側の平面の所望個所に、床材５の側辺端に当接する突起を突設し、他方側の平面には壁材面と床材面の間に生じる空気抜隙間に挿入して、該隙間を閉塞する機能を発揮する弾性材から成るスペーサ部材１９を配して成る構成とした。【選択図】図５
0003174798.tif 000002
【実用新案登録請求の範囲】
【請求項１】
頂面を壁材面に配設された巾木の底面受とした肉薄平面板の一方側の平面の所望個所に、床材の側辺端に当接する突起を突設し、他方側の平面には壁材面と床材面の間に生じる空気抜隙間に挿入して、該隙間を閉塞する機能を発揮する弾性材から成る隙間閉塞材を配して成ることを特徴とする空気抜隙間を形成して構築された乾式二重床の空気抜隙間の閉塞に用いる隙間閉塞材を備えたスペーサ部材。
【請求項２】
前記隙間閉塞材は、弾性材から成る方形板を両側の側辺を対向させて断面半円形状に湾曲した樋体として形成し、前記した樋体の一方側の弧状面を所望の個所から引き延ばした折り曲げ平板とし、該折り曲げ平板を対向する弧状面の内側に向かって折り曲げて変形樋体とし、この変形樋体を弧状面の端辺に変形樋体の前記折り曲げ平面板の先端は肉薄平面板の所望の位置に固定して配することを特徴とする請求項１に記載した空気抜隙間を形成して構築された乾式二重床の空気抜隙間の閉塞に用いる隙間閉塞材を備えたスペーサ部材。
【請求項３】
前記隙間閉塞材は、弾性材から成る方形の肉薄細長平面板を、前記肉薄平面板に並列して配することを特徴とする請求項１に記載した空気抜隙間を形成して構築された乾式二重床の空気抜隙間の閉塞に用いる隙間閉塞材を備えたスペーサ部材。
【考案の詳細な説明】
【技術分野】
【０００１】
本考案は、集合住宅やビルディングの建築様式に採用される乾式二重床から生ずる重量床衝撃音の遮音性を向上させるため、壁材面に対向して配する床スラグに床つかで支持した床版に張り合わされた浮き床から成る床材の側面と前記壁材面の間にわずかな空気抜隙間を設けて構築した構造形式の遮音機能を阻害しないで該隙間の必要個所に位置するように前記壁材面と床材面の所望個所に配設する空気抜隙間閉塞材であるスペーサ部材に関する考案である。
【背景技術】
【０００２】
集合住宅やビルディング等において従来の建築様式として採用される乾式二重床は、図１２に図示するような空気抜隙間を形成しない構造形式として作られている。この建築様式の乾式二重床から生ずる騒音は、古くからの構造形式として採用されていた直貼床に比べて床衝撃音中の重量床衝撃音、即ち、居住者や来訪者による室内或いは廊下での立ち振る舞いや、特に小児の活発な活動による室内或いは廊下の床の踏み付けなどにより、床材５にかけられた衝撃荷重による床材５の変形により乾式二重床を構成する床フラプ６と床材５の間に形成される空間中の空気圧の変動が生じたときに、この空気圧の変動が原因して発生する床衝撃音に対する遮断性能が劣るといわれている。図１２に図示するような従来の乾式二重床１は、構造形式からして壁材８を床スラブ２面に直立し、床スラブ２面に配した床つか６床版７に支持された床版３と浮き床４を貼り合わせた床材５の間に形成される空間に溜まり込んだ空気が居住者による前記行動による床材５に対する衝撃荷重による重量床衝撃音が、乾式二重床１が床スラブ２と床材５に形成される空間中の空気圧を変動することにより生ずる重量床衝撃音を増幅させてしまうからである。
【０００３】
この重量床衝撃音の増幅を低減するためにこれまでは乾式二重床１を構成する壁材と床材との間に空気抜隙間を形成し、その隙間に巾木を配設する手段を講じる構造とすることが開発されていた。この手段を講じることによって生じる不都合を解消するために開発された考案が、特開２００２−８１１９８３号公報や特開２００３−２７８３７７号公報に記載されている。しかし、前記文献に記載された巾木は構造が複雑で、その機能も十分発揮できないと言う不都合があった。
【０００４】
また、壁材と床材との間に空気抜隙間を構成する乾式二重床の構造形式の床材を配設するのに当たって該空気抜隙間の機能を阻害しないで、該空気抜隙間の本来の機能を生かし、該空気抜隙間の所望個所に隙間閉塞材を配設する手段として特開２００３−３３６３８６号公報に記載されたような隙間閉塞部材が開発された。しかし、同公報に記載された隙間閉塞部材であるスペーサ部材は同公報の段落番号００１３に記載されているように、空気抜隙間を形成する乾式二重床の構造形式を構築する際に、予め該構造形式とするために用いる床材に、該空気抜隙間を殺さないための隙間閉塞部材としてのスペーサ部材を同公報の図（ａ）、（ｂ）、図３並びに図４（ａ）、（ｂ）、図５、図６（ａ）、（ｂ）に図示された構造のものとして作られ、これを配設する技術である。
【先行技術文献】
【特許文献】
【０００５】
【特許文献１】・・・特開２００２−８１１９８３号公報
【特許文献２】・・・特開２００３−２７８３７７号公報
【特許文献３】・・・特開２００３−３３６８６号公報
【考案の概要】
【考案が解決しようとする課題】
【０００６】
乾式二重床から生ずる重量床衝撃音から生ずる問題の解決は、生活時間の異なる現代社会において、集合住宅やビルディング等の居住者にとっては非常に大きな課題となっている。  
【０００７】
その対策として、乾式二重床の床下部分の空気を抜く穴を床面に開けることにより、乾式二重床から生ずる重量床衝撃音の遮断性能が向上することは数多くの実験や研究によりすでに明らかとなっている。しかしながら、床面に穴の開けられた床材を用いることは生活に種々な支障をきたすため、重量床衝撃音の遮断性能を向上させるための上記穴開けによる改善案は、いまだ普及に至っていないのが実情である。  
【０００８】
本考案は、上記した考案では上記問題点を解決するのには、種々不都合があったので、この不都合を解消するために更に研究をして開発された考案であって、空気抜隙間を配した構造形式に構築した乾式二重床から生ずる重量床衝撃音の遮断性能の向上を図ることを目的とするものであることは勿論であるが、その解決に当たっては、単に前記構成型式の乾式二重床を構成するに当たって形成される空気抜隙間に、該空気抜隙間の機能を殺さない隙間閉塞材であるスペーサ部材を挿入すると言う特開２００３−３３６８６号公報に記載されたスペーサ部材と同じ機能を発揮するスペーサ部材を提供すると言うだけでない。本考案は、本出願の考案者が先に創作して意匠登録出願をし、意匠登録第１４２６１６０号として登録になった意匠に係る物品である下部に短繊維１１を配設して成る巾木１０を図１１に図示するよう配設したとき、該巾木１０に配設された短繊維１１が床材５下に生じた空気圧を空気抜隙間９から矢印Ａ〜Ｂに示す通路を通って床材５下から逃がすことができる機能を十分に発揮して配設することができるよう考慮して開発された空気抜隙間に挿入する隙間閉塞部材であるスペーサを提案することを目的としている。
【課題を解決するための手段】
【０００９】
本考案の空気抜隙間を形成した乾式二重床の構造に構築された壁材面と床材側面の間に形成される該空気抜隙間に挿入される隙間閉塞材であるスペーサ部材は、頂面を壁材面に配設される巾木の底面受面とした肉薄平面板の一方側の平面の所望の個所に、床材の側辺端に当接する突起を突設し、他方側の平面には、壁材面と床材側面の間に生じる空気抜隙間に挿入して、該隙間を閉塞する機能を発揮する弾性材から成る隙間閉塞材を配設する構成とする。
スペーサ部材を構成する肉薄平面板に配設される弾性材から成る隙間閉塞材の一つの形態は、弾性材から成る方形平板を、両側の側辺を対向させて断面半円形状に湾曲した樋体として形成し、該樋体の対向辺の一辺を前記肉薄平面板の下端辺に、他辺を前記肉薄平面板の所望の位置に固定する。従って、該樋体は前記した肉薄平面板の他方側面で両端部を開口とし、内側は空洞部として構成される。
他の一つの形態は、弾性材から成る方形平板を、両側の側辺を対向させて断面半円形に湾曲した樋体として形成し、対向する一方側の弧状面を、所望の個所から引き延ばした折り曲げ平板面とし、該折り曲げ平板面を対向する弧状面の内側に向かって折り曲げて変形樋体とし、変形樋体の弧状面の先端辺を前記肉薄平面板の下端辺に、変形樋の前記折り曲げ平面板の先端辺は肉薄平面板の所望の位置に固定する。従って、前記変形樋体の両端部を開口とし、内側は空洞部として構成される。
また、別の形態は弾性材から成る方形平板面に所望の高さの低い厚さの薄い断面方形細長板、或いは三角細長板を該方形平板面の長手方向に向けて、並列に配設する構成とする。
【考案の効果】
【００１０】
本考案に係る乾式二重床に形成される空気抜隙間に隙間閉塞部材として、挿入されるスペーサ部材は、前記した課題を解決する手段の項に記載したように構成されているので、その挿入は乾式二重床を形成する床材に特開２００３−３３６８６号公報に記載されているように予め装着して配設するのではなく、空気抜隙間をもった乾式二重床を形成した後、該空気抜隙間に挿入することができる。
また、本考案に係る弾性材から成る隙間閉塞材は、上記した構成から意匠登録第１４２６１６０号として登録になった意匠に係る物品から成る巾木に対しては、巾木に配設された短繊維の機能を抹殺することなく図３、４、５並びに図８、９、１０に示す状態で使用することができる。
【図面の簡単な説明】
【００１１】
【図１】本考案の一実施形態である空気抜隙間閉塞材を形成するスペーサ部材の斜視図
【図２】前記スペーサ部材の断面図
【図３】前記スペーサ部材を空気抜隙間に挿入したときの状態を示す断面図
【図４】前記スペーサ部材を空気抜隙間に挿入するとき並びに挿入したときの説明断面図
【図５】前記スペーサ部材を空気抜隙間に挿入したときの説明断面図
【図６】本考案の他の実施形態である空気抜隙間閉塞材を形成するスペーサ部材の斜視図
【図７】前記スペーサ部材の断面図
【図８】前記スペーサ部材を空気抜隙間に挿入したときの状態を示す断面図
【図９】前記スペーサ部材を空気抜隙間に挿入するとき並びに挿入したときの説明断面図
【図１０】前記スペーサ部材を空気抜隙間に挿入したときの説明断面図
【図１１】空気抜隙間を設けた乾式二重床に、意匠登録第１４２６１６０号として登録された巾木を配設した状態の断面図
【図１２】従来型の乾式二重床の断面図
【実施例１】
【００１２】
本考案に係る空気抜隙間閉塞材であるスペーサ部材１９を用いる乾式二重床１１は、図３、図４、図５並びに図８、図９、図１０に図示するよう壁材１７面と床材１５面の間に空気抜隙間１８を形成した構造形式に構築されている。該空気抜隙間１８に配される隙間閉塞部材であるスペーサ部材１９は、上記した「課題を解決するための手段」の項に記載された構造として構成されている。
【００１３】
本考案の乾式二重床１１の構造に構築された壁材１７面と床材１５側面の間に形成される該空気抜隙間１８に挿入される隙間閉塞材であるスペーサ部材１９は、頂面を壁材１７面に配設される巾木３０の底面受とした肉薄平面板２０の一方側の平面の所望の個所に、床材１５の側辺端に当接する突起２１を突設し、他方側の平面には、壁材１７面と床材１５側面の間に生じる空気抜隙間１８に挿入して、該隙間１８を閉塞する機能を発揮する弾性材から成る隙間閉塞材を配設する構成とする。
【００１４】
前記スペーサ部材１９を構成する肉薄平面板２０に配設される弾性材から成る隙間閉塞材の一つは、図１に図示するように、弾性材から成る方形平板を、両側の側辺を対向させて断面半円形に湾曲した樋体として形成し、該樋体の対向する一方側の弧状面を、所望の個所から引き延ばした折り曲げ平板面とし、該折り曲げ平板面を対向する弧状面の内側に向かって折り曲げて変形樋体２２とし、この変形樋体２２を図２に図示するように弧状面の先端辺を前記肉薄平面板２０の下端辺に、変形樋体の前記折り曲げ平面板の先端辺は肉薄平面板２０の所望の位置に固定する。従って、前記変形樋体は前記した樋体と同じように、その両端部を開口とし、内側は空洞部として構成される。
【００１５】
また、図６に示すように、別の形態は弾性材から成る方形平板面に所望の高さの厚さの薄い断面方形細長板２３を立設して構成される。
【００１６】
従って、上記いずれの構成とした本考案に係る弾性材を以て隙間閉塞材を形成したスペーサ部材１９は肉薄平面板２０の下端辺側は、上記空気抜隙間１８に挿入しやすい構造とされている。
更に、前記空気抜隙間１８に本考案に係る弾性材を以て隙間閉塞部材を形成したスペーサ部材１９の先端を挿入後、これを空気抜隙間１８の奥深く挿入しようとするときは、スペーサ部材１９を構成する弾性材を以て構成された隙間閉塞部材が図１、図２に図示するように変形樋体２２として構成されたものであるときは、該部材が図３、４、５に図示するように容易に該空気抜隙間１８の間で収縮し、前記スペーサ部材１９を前記空気抜隙間１８に挿入する操作は容易に行われ、隙間閉塞部材の空洞部から空気を両端開口に逃がし、所定の深さまで肉薄平面板に突設された床材１５の側辺に当接する突起形成２１個所まで挿入が容易にできることになる。また、図６、図７に図示するよう断面方形細長板とした構造形式に作られた隙間閉塞部材も先端が床材１５の側面で先端が横倒しとなり、挿入が容易となる。その結果図８、９、１０に図示するように壁材１７と床材１５の間に挿入された該部材は壁材１７と床材１５の間の緩衝材としての機能を発揮する。
【００１７】
前記した状態で壁材と床材の間に形成された乾式二重床１７の空気抜隙間１８に挿入されたスペーサ部材１９は、肉薄平面板２０の頂面は、壁材１７側面に頂面位置の高さを同じくして所望間隔を以て配列される。そのスペーサ部材１９は肉薄平面板２０の頂面上に意匠登録第１４２６１６０号に係る巾木３０の下面を載せて配置することによって巾木３０を水平に配設することができる。本考案のスペーサ部材は上記したように肉薄平面板からできているので、その頂面は肉薄面となり、その上に載せられる巾木３０の下面は図３、４、５並びに図８、９、１０に図示する状態で載せられる。その結果、巾木３０が意匠登録第１４２６１６０号として登録になった意匠に係る物品の形状に作られた下面に短繊維を配設した巾木であっても、その巾木３０に配設された短繊維の機能を減殺するようなことはないことになる。
【符号の説明】
【００１８】
２      床スラグ
３      床版
４      浮き床
５      床材
６      床つか
７      床版
８      壁材
９      隙間
１０    巾木
１５    床材
１７    壁材
１８    空気抜隙間
１９    スペーサ部材
２０    肉薄平面板
２１    突起
２２    変形樋体
２３    断面方形細長板
３０    巾木
【図１】
0003174798.tif 000003
【図２】
0003174798.tif 000004
【図３】
0003174798.tif 000005
【図４】
0003174798.tif 000006
【図５】
0003174798.tif 000007
【図６】
0003174798.tif 000008
【図７】
0003174798.tif 000009
【図８】
0003174798.tif 000010
【図９】
0003174798.tif 000011
【図１０】
0003174798.tif 000012
【図１１】
0003174798.tif 000013
【図１２】
0003174798.tif 000014